(57)【要約】【課題】他の部位に迷入させることなく正確に目標部位へ挿入することができるとともに、カテーテルの先端面が生体内腔の内壁面に密着した状態であっても、液体の吸引を行うことができるカテーテルおよびカテーテル組立体を提供すること。【解決手段】本発明のカテーテルは、その長手方向に沿って中空部が形成された可撓性を有するカテーテル本体２と、該カテーテル本体２の基端側に設置されたカテーテルコネクタとを有する。カテーテル本体２は、その先端付近に形成され、自然状態において曲がったカテーテルアングル部分を有するとともに、カテーテル本体２の先端２２の管壁に少なくとも一つの切欠き２４を有し、生体内腔の内壁面（血管壁１００）にカテーテル本体２の先端面２２１が接触した状態でカテーテル本体２の内外が切欠き２４を介して連通する。【選択図】図３
2005169012.tif 000002
【特許請求の範囲】
【請求項１】
その長手方向に沿って中空部が形成された可撓性を有するカテーテル本体と、該カテーテル本体の基端側に設置されたカテーテルコネクタとを有するカテーテルであって、
前記カテーテル本体は、その先端付近に形成され、自然状態において曲がったカテーテルアングル部分を有し、
前記カテーテル本体の先端の管壁に少なくとも一つの切欠きを有し、生体内腔の内壁面に前記カテーテル本体の先端面が接触した状態で前記カテーテル本体の内外が前記切欠きを介して連通することを特徴とするカテーテル。
【請求項２】
前記カテーテル本体の先端面から前記切欠きの底部までの距離が０．２〜１．５ｍｍである請求項１に記載のカテーテル。
【請求項３】
前記カテーテル本体の先端部の外径をＤ、前記切欠きの幅をＷとしたとき、Ｗ／Ｄの値が０．２〜０．６である請求項１または２に記載のカテーテル。
【請求項４】
前記カテーテル本体の先端部を血管内に留置して用いられる血管留置カテーテルである請求項１ないし３のいずれかに記載のカテーテル。
【請求項５】
前記切欠きは、前記カテーテル本体の中心を介して対向する２箇所に設けられている請求項１ないし４のいずれかに記載のカテーテル。
【請求項６】
請求項１ないし５のいずれかに記載のカテーテルと、
前記カテーテル本体の中空部に挿入可能な可撓性を有する線状体で構成されたスタイレット本体と、該スタイレット本体の基端側に設置され、前記カテーテルコネクタに対し着脱自在なスタイレットコネクタとを有するスタイレットとを備えたことを特徴とするカテーテル組立体。
【請求項７】
前記スタイレット本体は、その先端付近に形成され、単体での自然状態において前記カテーテルアングル部分と対応した形状に曲がったスタイレットアングル部分を有する請求項６に記載のカテーテル組立体。
【発明の詳細な説明】
【技術分野】
【０００１】
本発明は、生体に対し例えば輸液などを行う際に用いられるカテーテルおよびカテーテル組立体に関する。
【背景技術】
【０００２】
従来より、高カロリー輸液療法を行う場合、一般に、上大静脈に中心静脈カテーテルが留置される。
【０００３】
図８に患者が正面を向いている時の上大静脈（中心静脈）付近の血管の概略図を示すが、このようなカテーテル留置法では、一般的には内針を有する分割式カニューラを鎖骨下静脈穿刺法により穿刺し、針先が血管に到達した後、内針を抜去し、上記カニューラを介して上大静脈に斜線で示された至適留置域にカテーテルの先端が留置される。
【０００４】
術者が血管確保を行う際、内頚静脈からのアプローチではほとんど問題とはならないが、特に鎖骨下静脈穿刺の場合、針先の血管到達位置によっては内頚静脈、外頚静脈、あるいは穿刺位置とは反対側の鎖骨下静脈等に迷入（カテーテルの位置不良：mislodging）する危険があるという問題があった。
【０００５】
すなわち、針先の血管到達位置が鎖骨下静脈と内頚静脈の分岐点のような分岐部付近である場合、カテーテルが上大静脈以外の血管に迷入する可能性が高いとされている。例えば、図９に示されるように、術者が右鎖骨下静脈に向けて穿刺する場合、穿刺部位を誇張させるために患者は左方向を向くようにするが、この時、右内頚静脈は右鎖骨下静脈とより直線状になるような配置になる。この様な場合、至適穿刺域よりも矢印で示された分岐部付近に針先が到達してしまうと、真っ直ぐなカテーテルを挿入する場合では分割カニューラの先端（血管に穿刺した側）よりカテーテルが突出する段階で、血液の流れに乗って下方向（上大静脈方向）へ行く前に、右内頚静脈の方向に向かって挿入されてしまい易くなっている。一旦、上大静脈以外の上大静脈より細い血管ヘカテーテルの先端が迷入してしまうと、カテーテルの先端が血管壁に当たり易くなったり、血管内皮を刺激し、カテーテルより供給される高張の栄養輸液が血管外に侵出するといった血管外漏出（Extravasation of Fluids）が発生するという問題があった。
【０００６】
上大静脈以外の血管への迷入といった問題を解決するために、幾つかの試みがなされている。例えば、特開平８−２２４３１２号公報（特許文献１）に記載の方法では、撚り線からなるスタイレットを挿入したカテーテルが記載されており、該スタイレットは、スタイレットの先端から１２ｍｍ程度の位置で、曲げ角度１０〜１５度程度に折り曲げた構造であり、スタイレットの先端はカテーテルの先端近傍にある。また、同公報には、上述した形状とすることで確実に上大静脈への留置が可能であると記載されているが、実際には、このようなカテーテルでは、図１０に示すように湾曲部が先端に近過ぎるので、比較的大きな空間を有する鎖骨下静脈から上大静脈への分岐部付近においては、図１１に示すように、どの方向にも回転できるので効果的ではない。さらには、カテーテルの先端を上大静脈側へ向けるように挿入時においても常に気をつける必要が生じ、術者はカテーテルを迷入させないことについて大きな安心感を得られないばかりか、やはり熟練を要し、経験未熟な研修医等ではカテーテルの迷入を起こしてしまう可能性がある。また、先端部付近までスタイレットが挿入されている（突出している場合も含める）ため、例えば分割カニューラからカテーテル先端が突出した際、カテーテル先端が血管壁と接触するが、そのときの押し込み強度が強すぎ、血管壁を傷つけてしまう可能性がある。
【０００７】
このような問題を解決するため、先端付近が湾曲したカテーテルが求められる。このようなカテーテルでは、血管の形状に適合したアングル形状が施されており、術者は容易に目標部位へカテーテルを挿入することができる。
【０００８】
カテーテルを留置した後には、カテーテル先端が血管内に位置していることを血液逆流（フラッシュバック）によって確認する。すなわち、カテーテルの基端部にシリンジ等を接続して吸引し、カテーテルの先端開口から流入した血液がシリンジへ逆流することを目視観察することにより、カテーテル先端が血管内にあることを確認する。
【０００９】
しかしながら、血液逆流を確認する際、カテーテル先端付近のアングル形状と患者の血管形状との関係によっては、カテーテルの先端面が血管壁に密着した状態となり、カテーテルの先端開口から血液が流入できないことがある。このため、カテーテル先端が血管内に位置しているにもかかわらず、血液逆流が確認しづらいという問題がある。
【００１０】
また、従来、別の目的（高流量の確保等）でカテーテル先端部付近、例えば最先端部より５〜３０ｍｍの範囲に側孔が設けられているカテーテルがある。この側孔付きカテーテルであれば、カテーテルの先端面が血管壁に密着してしまった場合であっても血液逆流は確認可能である。しかしながら、側孔付きカテーテルの場合、輸液を継続する場合は問題とはならないが、一時的に輸液を停止する場合に問題を生じる。例えば、カテーテル内にヘパリン加生理食塩水を満たした状態で一時的に輸液を停止するヘパリンロックを行っているとき、カテーテル先端内部にあるヘパリン加生理食塩水がカテーテル先端開口と側孔とから流入する血液によって置換され、置換された血液が凝固することによってカテーテルの先端開口が閉塞するおそれがある。
【００１１】
【特許文献１】特開平８−２２４３１２号公報
【発明の開示】
【発明が解決しようとする課題】
【００１２】
本発明の目的は、他の部位に迷入させることなく正確に目標部位へ挿入することができるとともに、カテーテルの先端面が生体内腔の内壁面に密着した状態であっても、液体の吸引を行うことができるカテーテルおよびカテーテル組立体を提供することにある。
【課題を解決するための手段】
【００１３】
このような目的は、下記（１）〜（７）の本発明により達成される。
（１）  その長手方向に沿って中空部が形成された可撓性を有するカテーテル本体と、該カテーテル本体の基端側に設置されたカテーテルコネクタとを有するカテーテルであって、
前記カテーテル本体は、その先端付近に形成され、自然状態において曲がったカテーテルアングル部分を有し、
前記カテーテル本体の先端の管壁に少なくとも一つの切欠きを有し、生体内腔の内壁面に前記カテーテル本体の先端面が接触した状態で前記カテーテル本体の内外が前記切欠きを介して連通することを特徴とするカテーテル。
【００１４】
（２）  前記カテーテル本体の先端面から前記切欠きの底部までの距離が０．２〜１．５ｍｍである上記（１）に記載のカテーテル。
【００１５】
（３）  前記カテーテル本体の先端部の外径をＤ、前記切欠きの幅をＷとしたとき、Ｗ／Ｄの値が０．２〜０．６である上記（１）または（２）に記載のカテーテル。
【００１６】
（４）  前記カテーテル本体の先端部を血管内に留置して用いられる血管留置カテーテルである上記（１）ないし（３）のいずれかに記載のカテーテル。
【００１７】
（５）  前記切欠きは、前記カテーテル本体の中心を介して対向する２箇所に設けられている上記（１）ないし（４）のいずれかに記載のカテーテル。
【００１８】
（６）  上記（１）ないし（５）のいずれかに記載のカテーテルと、
前記カテーテル本体の中空部に挿入可能な可撓性を有する線状体で構成されたスタイレット本体と、該スタイレット本体の基端側に設置され、前記カテーテルコネクタに対し着脱自在なスタイレットコネクタとを有するスタイレットとを備えたことを特徴とするカテーテル組立体。
【００１９】
（７）  前記スタイレット本体は、その先端付近に形成され、単体での自然状態において前記カテーテルアングル部分と対応した形状に曲がったスタイレットアングル部分を有する上記（６）に記載のカテーテル組立体。
【発明の効果】
【００２０】
本発明によれば、先端付近にカテーテルアングル部分を設けたことにより、他の部位に迷入させることなく正確に目標部位へ挿入することができる。
また、カテーテルの先端面が生体内腔の内壁面に密着した状態であっても、液体の吸引を行うことができるので、例えば血液逆流を確認するような場合でも支障なく円滑かつ確実に行うことができる。
【発明を実施するための最良の形態】
【００２１】
以下、本発明のカテーテルおよびカテーテル組立体を添付図面に示す好適な実施形態に基づいて詳細に説明する。
【００２２】
図１は、本発明のカテーテルの実施形態を示す側面図、図２は、図１に示すカテーテルにおけるカテーテル本体の先端付近を拡大して示す斜視図、図３は、図２に示すカテーテル本体の先端面が血管壁に密着した状態を示す側面図、図４は、スタイレットの実施形態を示す側面図、図５は、図１に示すカテーテルと図４に示すスタイレットとを備えた本発明のカテーテル組立体を示す側面図、図６および図７は、それぞれ、図５に示すカテーテル組立体を上大静脈に挿入する様子を模式的に示す図である。なお、以下では、説明の都合上、図１、図４および図５中の右側を「基端」、左側を「先端」と言う。
【００２３】
図１に示すように、カテーテル１は、可撓性（弾性）を有する細長いカテーテル本体２と、該カテーテル本体２の基端側に設置されたカテーテルコネクタ３とで構成されている。このカテーテル１は、鎖骨下静脈穿刺法により穿刺されたカニューラ１０を介して体内に挿入し、カテーテル本体２の先端部を血管、特に上大静脈に留置して、例えば高カロリー輸液等を行うのに用いられる血管留置カテーテルである。
【００２４】
カテーテル本体２の内部には、その長手方向に沿って中空部（流路）が形成されている。カテーテル本体２の長さは、特に限定されないが、通常は、５０〜１０００ｍｍであるのが好ましく、８０〜７００ｍｍであるのがより好ましい。また、カテーテル本体２の外径は、特に限定されないが、通常は、０．３〜４ｍｍであるのが好ましく、１〜３ｍｍであるのがより好ましい。
【００２５】
カテーテルコネクタ３は、筒状の胴部３１を有しており、該胴部３１の内腔は、カテーテル本体２の中空部に連通している。胴部３１の基端開口部の外周には、雄ねじ３１１が形成されている。このカテーテルコネクタ３には、例えば輸液用チューブのコネクタ等の雄ルアーを接続することができる。
【００２６】
図示の構成では、カテーテルコネクタ３は、胴部３１から突出する板状の突起３２を有している。この突起３２は、指当て部として機能し、カテーテルコネクタ３を確実に把持することができる。
【００２７】
カテーテル本体２は、その先端付近に形成されたカテーテルアングル部分２１と、該カテーテルアングル部分２１の基端側に隣接して形成され、直線的に伸びる直線部分２３とを有している。以下、このカテーテルアングル部分２１の形状について説明するが、以下に説明する形状は、カテーテル１に外力を付与しない自然状態（例えば、滑らかな平面上にカテーテル組立体１１を載置した状態）での形状である。
【００２８】
本実施形態におけるカテーテルアングル部分２１は、一定方向（同方向）に湾曲する２箇所の湾曲部２１１および２１２を含んでおり、湾曲部２１１は、基端側に位置しており、湾曲部２１２は、先端側に位置している。また、このカテーテルアングル部分２１は、湾曲部２１１と湾曲部２１２との間に形成された直線部２１３と、湾曲部２１２とカテーテル本体２の先端２２との間に形成された直線部２１４とを含んでいる。
【００２９】
カテーテルアングル部分２１の長さは、特に限定されないが、先端２２からカテーテル本体２の中心線に沿って４〜８ｃｍの範囲まで形成されているのが好ましく、４．５〜６ｃｍの範囲まで形成されているのがより好ましい。これにより、図６および図７に示すように、鎖骨下静脈に穿刺されたカニューラ１０を経て上大静脈に挿入しようとする場合、他の血管（内頚静脈、外頚静脈、あるいは穿刺位置とは反対側の鎖骨下静脈等）に迷入（迷走）することなく確実に上大静脈に挿入することができ、カテーテル本体２の先端２２を上大静脈の至適留置域に確実に留置することができる。特に、カニューラ１０の穿刺位置が鎖骨下静脈と内頚静脈の分岐部付近よりも肩側の遠位である場合はもちろん、カニューラ１０の穿刺位置が鎖骨下静脈と内頚静脈の分岐点付近である場合であっても、他の血管に迷入することなく確実に上大静脈に挿入することができる。
【００３０】
なお、図示の構成では、カテーテルアングル部分２１とカテーテルコネクタ３との間のほぼ全部が直線部分２３になっているが、このような構成に限らず、直線部分２３とカテーテルコネクタ３との間に湾曲した部分があってもよい。
【００３１】
また、カテーテルアングル部分２１に含まれる湾曲部の個数は、１つでも、３つ以上でもよいが、本実施形態のように、カテーテルアングル部分２１は複数の湾曲部を含むものであるのが好ましい。これにより、上大静脈への留置操作をより確実に行うことができ、例えば、右鎖骨下静脈穿刺を行う際に、カニューラ１０の穿刺位置および穿刺角度、患者の体の大きさ等の影響により、カテーテル本体２の先端２２が反対側の左鎖骨下静脈内に挿入されてしまうようなことをより確実に防止することができる。
【００３２】
カテーテルアングル部分２１の湾曲部２１１や湾曲部２１２の中心線における曲率半径は、特に限定されないが、５〜６０ｍｍであるのが好ましく、１０〜４０ｍｍであるのがより好ましい。このような範囲内にあると、血管壁に対する刺激をより低減できるとともに、挿入時の手元感覚がより得易くなる。
また、カテーテルアングル部分２１は、直線部１３３、１３４等を含まずにその全体が湾曲部で構成されていてもよい。
【００３３】
カテーテル本体２の構成材料としては、特に限定されず、可撓性を有する合成樹脂材料を主として用いることができるが、高分子エラストマーであるのが好ましく、中でも熱可塑性ポリウレタンエラストマーであることがより好ましい。
【００３４】
熱可塑性ポリウレタンエラストマーは、生体適合性および血液適合性が高く、比較的長期の留置にも適する。また、高分子エラストマーは、所望の形状に変化させた後に、該高分子エラストマーのガラス転移温度以上の温度で熱処理を施し、その形状のまま冷却することによって形状記憶性を発揮するため、適度に所望の形に形状を変化させることも可能であり、前記カテーテルアングル部分２１を形成する際においても所望の角度、曲率に形状を変化させることができるため好ましい。
【００３５】
また、このような高分子エラストマーの弾性率は温度依存性を示し、一般的には高温にするほど柔軟化する。熱可塑性ポリウレタンエラストマーなどではさらに吸水性も示すので、血管内に留置された後は体温と血液の両者によって柔軟化し、湾曲部２１１、２１２と有する形状から徐々に比較的真っ直ぐな形状に変化するので、予め形成された形状による血管壁１００への接触も特に問題とならない。
【００３６】
また、カテーテル本体２の外表面には、体液、血液、粘膜等の生体組織と接触した際に潤滑性を発揮する被覆や、抗血栓性、抗菌性を発現する被覆が設けられていてもよい。
【００３７】
図２に示すように、このようなカテーテル１は、カテーテル本体２の先端２２の管壁に、先端面２２１に開放する切欠き（凹部）２４を有している。切欠き２４の形成個数は特に限定されないが、１〜４個が好ましい。図示の構成では、切欠き２４は、２箇所に形成されており、２つの切欠き２４は、カテーテル本体２の中心を介して対向して位置している。
【００３８】
図１に示す構成では、切欠き２４は、カテーテルアングル部分２１の側面に位置しているが、この位置に限定されず、任意の位置に構成することができる。
【００３９】
また、切欠き２４の形状は、特に限定されず、凹状、Ｕ字状、Ｖ字状等の任意の形状とすることができる。
【００４０】
本発明のカテーテル１は、前述したようなカテーテルアングル部分２１を有しているので、図７に示すように、血管（上大静脈）に挿入されたとき、カテーテル本体２の先端２２が血管壁１００に近づき易く、場合によっては先端面２２１が血管壁１００に密着する。
【００４１】
本発明のカテーテル１は、上記のような切欠き２４を設けたことにより、図３に示すように、カテーテル本体２の先端面２２１が血管壁（内壁面）１００に接触した状態でも、カテーテル本体２の内外が切欠き２４を介して通液可能に連通する。よって、先端２２が血管内に位置しているかどうかを確認するために、カテーテルコネクタ３（または後述するスタイレットコネクタ５）にシリンジ等を接続して吸引することにより血液逆流（フラッシュバック）を確認する際、先端面２２１が血管壁１００に密着した状態になっていても、切欠き２４から血液をカテーテル本体２内にスムーズに吸引することができ、円滑かつ確実に血液逆流を確認することができる。
【００４２】
これに対し、従来のカテーテルでは切欠き２４がないので、カテーテル先端面が血管壁に密着すると、先端開口から血液が流入しにくくなり、血液逆流を確認するのが困難となる。
【００４３】
また、本発明のカテーテル１では、カテーテル本体２内にヘパリン加生理食塩水を満たした状態で一時的に輸液を停止するヘパリンロックを行った場合であっても、先端２２の内のヘパリン加生理食塩水が血液に置換されて凝固するようなことがなく、カテーテル本体２の先端開口が閉塞するのを確実に防止することができる。
【００４４】
カテーテル本体２の先端面２２１から切欠き２４の底部までの距離（図３中のＬで示す長さ）は、特に限定されないが、０．２〜１．５ｍｍであるのが好ましい。Ｌが０．２ｍｍより小さい場合には、先端面２２１と血管壁１００との密着具合によっては血液逆流を確認する際の吸引操作がしにくい場合がある。また、Ｌが１．５ｍｍより大きいと、カテーテル本体２の素材や外径等の条件によっては、先端２２の剛性が不足する場合がある。
【００４５】
また、カテーテル本体２の先端部の外径をＤ、切欠き２４の幅をＷとしたとき、Ｗ／Ｄの値は、０．２〜０．６であるのが好ましく、０．２５〜０．５であるのがより好ましい。Ｗ／Ｄがこのような範囲にある場合には、図３に示す状態で血液が切欠き２４を十分な流量で通過することができ、血液逆流を確認する際の吸引操作をより円滑かつ確実に行うことができる。なお、Ｗ／Ｄが０．６より大きいと、カテーテル本体２の素材や外径等の条件によっては、先端２２の剛性が不足する場合がある。
【００４６】
このようなカテーテル１は、生体への挿入時には、カテーテル本体２の中空部に図４に示すようなスタイレット１２のスタイレット本体４を挿入したカテーテル組立体１１とした状態（図５参照）にしてもよい。カテーテル組立体１１の状態で生体内に挿入することにより、カテーテル本体２の中空部に挿通されたスタイレット本体４の作用によって、カテーテル本体２に適度な剛性（いわゆるコシの強さ）が得られるので、カテーテル本体２をより容易に挿入することができる。
【００４７】
図４に示すように、スタイレット１２は、カテーテル本体２の中空部に挿入可能な可撓性（弾性）を有する線状体で構成されたスタイレット本体４と、該スタイレット本体４の基端側に設置され、カテーテルコネクタ３に対し着脱自在なスタイレットコネクタ５とで構成されている。
【００４８】
スタイレット本体４の構成材料は、特に限定されないが、例えば、スプリングワイヤーや撚り線等のステンレス鋼、Ｎｉ−Ｔｉ合金等の金属材料、ナイロン、ポリエステル等の比較的高弾性率の高分子材料、または、これらの組み合わせ（例えば金属の芯線に樹脂の被覆をしたもの等）が好ましく用いられる。
【００４９】
スタイレット本体４は、その先端付近に、外力を付与しない自然状態においてカテーテルアングル部分２１と対応した形状に曲がったスタイレットアングル部分４２を有している。スタイレットアングル部分４２は、自然状態において、一定方向に湾曲する１箇所の湾曲部４２１と、直線部４２２とで構成されている。湾曲部４２１および直線部４２２は、それぞれ、カテーテルアングル部分２１の湾曲部２１１および直線部２１３に相当する。
【００５０】
このようなスタイレット１２とカテーテル１とが組み合わされることにより、図５に示すように、カテーテル組立体１１も、先端付近に、曲がったアングル部分１３を有する。アングル部分１３は、外力を付与しない自然状態において、一定方向に湾曲する２箇所の湾曲部１３１および１３２と、２箇所の直線部１３３および１３４とで構成されている。
【００５１】
スタイレット本体４の長さは、図５に示す組立状態において、スタイレット本体４の先端４１が湾曲部２１１（湾曲部１３１）より先端側に位置し、かつカテーテル本体２の先端２２から突出しないような長さとされている。これにより、カテーテル組立体１１を血管内に挿入する際、アングル部分１３の形状づけを確実に保持することができるとともに、スタイレット本体４の先端４１が血管壁に当たらないので、血管壁１００を傷つけるのを防止することができる。
【００５２】
スタイレットコネクタ５は、筒状の胴部５１と、胴部５１の先端側に設けられたロック（固定部材）５２とを有している。ロック５２には、カテーテルコネクタ３の雄ねじ３１１に螺合し得る雌ねじが形成されている。カテーテル組立体１１は、カテーテル本体２の中空部にスタイレット本体４を挿入した状態で、雄ねじ３１１にロック５２を螺合させることにより、カテーテルコネクタ３とスタイレットコネクタ５とを確実に装着・固定することができる。なお、カテーテルコネクタ３とスタイレットコネクタ５との固定方法は、これに限らず、例えばオスとメスとのルアー嵌合のみによって固定する構成でもよい。
【００５３】
スタイレットコネクタ５の胴部５１には、その先端から基端まで貫通し通液可能な内腔が形成されており、胴部５１の基端開口部には、シリンジ等を接続することができる。これにより、スタイレット１２をカテーテル１から抜かずに、カテーテル１内を生理食塩水等でプライミングしたり、血液逆流を目視することによりカテーテル本体２の先端２２が血管内に入っているか、入っていないかの確認をしたりすることができる。
【００５４】
カテーテル組立体１１を血管内の目的部位まで挿入し、血液逆流を確認した後には、スタイレットコネクタ５をカテーテルコネクタ３から離脱させてスタイレット１２をカテーテル１から抜去した後、カテーテルコネクタ３に、例えば輸液用チューブのコネクタ等が接続される。
【００５５】
スタイレット本体４は、適度な剛性を有し、また一方で塑性変形しない範囲においては変形に対しバネのような復元性を示す。したがって、カニューラ１０からカテーテル本体２が突出し始めカテーテルアングル部分２１（アングル部分１３）がカニューラ１０の先端を通過するまでは、形状づけられたカテーテルアングル部分２１はカニューラ１０の形状が真っ直ぐなため比較的真っ直ぐになるように矯正されているが、カテーテルアングル部分２１がカニューラ１０の先端より出たときには元の角度（形状）まで容易に復元する。術者はこの現象を手元の感覚で認識することができるので、例えばカテーテル本体２の先端２２から５ｃｍのところに湾曲部２１１が形成されている場合は、カテーテル本体２がカニューラ１０の先端より５ｃｍ先まで体内に入ったことを手元の感覚によって認識することが可能となる。従来のカテーテル、特にスタイレットが装着されていない真っ直ぐなカテーテルではカニューラの全長とカテーテルの深度マークの位置との位置関係から類推するしか無かったので、上述したような手元感覚は術者にカテーテル本体２の先端２２の位置の情報を的確に伝えることが可能となり非常に有効である。
【００５６】
カテーテルアングル部分２１（アングル部分１３）の方向性を視認するためには、カテーテルコネクタ３やスタイレットコネクタ５にマークをつけておくことが好ましい。また、カテーテル本体２に印刷される深度マークを目印としても良い。好適には、スタイレットコネクタ５にアングル部分１３の湾曲方向と逆方向（図５中で上側）に矢印等のマークを印刷あるいは刻印し、挿入時に必ずそのマークが上を向くようにすると良い。このように構成することによって、マークとは必ず反対側にアングル部分１３の湾曲方向が向くようになり、より確実に上大静脈へ挿入することができる。
【００５７】
以上、本発明のカテーテルおよびカテーテル組立体を図示の実施形態について説明したが、本発明は、これに限定されるものではなく、カテーテルおよびカテーテル組立体を構成する各部は、同様の機能を発揮し得る任意の構成のものと置換することができる。また、任意の構成物が付加されていてもよい。
【００５８】
また、本発明では、カテーテル本体は、複数の中空部（流路）を有する多孔チューブで構成されていてもよく、その場合、カテーテルは、各中空部に連通する複数のカテーテルコネクタを有していてもよい。
【図面の簡単な説明】
【００５９】
【図１】本発明のカテーテルの実施形態を示す側面図である。
【図２】図１に示すカテーテルにおけるカテーテル本体の先端付近を拡大して示す斜視図である。
【図３】図２に示すカテーテル本体の先端面が血管壁に密着した状態を示す側面図である。
【図４】スタイレットの実施形態を示す側面図である。
【図５】図１に示すカテーテルと図４に示すスタイレットとを備えた本発明のカテーテル組立体を示す側面図である。
【図６】図５示すカテーテル組立体を上大静脈に挿入する様子を模式的に示す図である。
【図７】図５に示すカテーテル組立体を上大静脈に挿入する様子を模式的に示す図である。
【図８】患者が正面を向いているときの上大静脈（中心静脈）付近の血管の概略図である。
【図９】患者が左方向を向いているときの上大静脈（中心静脈）付近の血管の概略図である。
【図１０】従来のスタイレット付きカテーテルの全体図である。
【図１１】従来のスタイレット付きカテーテルがカニューラより突出しているときの概略図である。
【符号の説明】
【００６０】
１            カテーテル
１１          カテーテル組立体
１２          スタイレット
１３          アングル部分
１３１、１３２  湾曲部
１３３、１３４  直線部
２            カテーテル本体
２１          カテーテルアングル部分
２１１、２１２  湾曲部
２１３、２１４  直線部
２２          先端
２２１        先端面
２３          直線部分
２４          切欠き
３            カテーテルコネクタ
３１          胴部
３１１        雄ねじ
３２          突起
４            スタイレット本体
４１          先端
４２          スタイレットアングル部分
４２１        湾曲部
４２２        直線部
５            スタイレットコネクタ
５１          胴部
５２          ロック
１０          カニューラ
１００        血管壁
【図１】
2005169012.tif 000003
【図２】
2005169012.tif 000004
【図３】
2005169012.tif 000005
【図４】
2005169012.tif 000006
【図５】
2005169012.tif 000007
【図６】
2005169012.tif 000008
【図７】
2005169012.tif 000009
【図８】
2005169012.tif 000010
【図９】
2005169012.tif 000011
【図１０】
2005169012.tif 000012
【図１１】
2005169012.tif 000013